【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】  
【請求項１】  画像データの特性情報と、前記画像データに関連付けられた画像処理制御情報とを用いて、前記画像データに画像処理を行う画像処理手段を有し、
前記画像データは画像データ生成装置にて生成され、
前記画像データと前記画像処理制御情報とは、前記画像データ生成装置にて関連付けられる
ことを特徴とする画像処理装置。
【請求項２】  請求項１に記載の画像処理装置であって、
前記特性情報は、前記画像データの画質に関わる特性を示す情報であることを特徴とする画像処理装置。
【請求項３】  請求項２に記載の画像処理装置はさらに、
前記画像データを解析して、前記特性情報を取得する特性情報取得手段を有することを特徴とする画像処理装置。
【請求項４】  請求項１から請求項３のいずれか一項に記載の画像処理装置であって、
前記画像処理制御情報は、少なくともコントラスト、明るさ、カラーバランス、彩度、シャープネス、記憶色、およびノイズ除去に関連する情報のいずれか１つを含むことを特徴とする画像処理装置。
【請求項５】  請求項４に記載の画像処理装置であって、
前記画像処理制御情報は、前記画像データが示す画像の撮影時における撮影情報を含むことを特徴とする画像処理装置。
【請求項６】  請求項１から請求項５のいずれか一項に記載の画像処理装置であって、
前記画像データと前記画像処理制御情報は、同一のファイル内に含まれることを特徴とする画像処理装置。
【請求項７】  画像データの特性情報と、前記画像データに関連付けられた画像処理制御情報とを用いて、前記画像データに画像処理を行う画像処理手段と、
前記画像処理手段にて画像処理を行われた前記画像データを印刷する印刷手段とを有し、
前記画像データは画像データ生成装置にて生成され、
前記画像データと前記画像処理制御情報とは、前記画像データ生成装置にて関連付けられる
することを特徴とする印刷装置。
【請求項８】  画像データの特性情報と、前記画像データに関連付けられた画像処理制御情報とを用いて、前記画像データに画像処理を行う画像処理手段と、
前記画像処理手段にて画像処理を行われた前記画像データを表示する表示手段とを有し、
前記画像データは画像データ生成装置にて生成され、
前記画像データと前記画像処理制御情報とは、前記画像データ生成装置にて関連付けられる
することを特徴とする表示装置。
【請求項９】  画像データの特性情報と、前記画像データに関連付けられた画像処理制御情報とを用いて、前記画像データに画像処理を行う画像処理工程を有し、
前記画像データは画像データ生成装置にて生成され、
前記画像データと前記画像処理制御情報とは、前記画像データ生成装置にて関連付けられる
ことを特徴とする画像処理方法。
【請求項１０】  請求項９に記載の画像処理方法であって、
前記特性情報は、前記画像データの画質に関わる特性を示す情報であることを特徴とする画像処理方法。
【請求項１１】  請求項１０に記載の画像処理方法はさらに、
前記画像データを解析して、前記特性情報を取得する特性情報取得工程を有することを特徴とする画像処理方法。
【請求項１２】  請求項９から請求項１１のいずれか一項に記載の画像処理方法であって、
前記画像処理制御情報は、少なくともコントラスト、明るさ、カラーバランス、彩度、シャープネス、記憶色、およびノイズ除去に関連する情報のいずれか１つを含むことを特徴とする画像処理方法。
【請求項１３】  請求項１２に記載の画像処理方法であって、
前記画像処理制御情報は、前記画像データが示す画像の撮影時における撮影情報を含むことを特徴とする画像処理方法。
【請求項１４】  請求項９から請求項１３のいずれか一項に記載の画像処理方法であって、
前記画像データと前記画像処理制御情報は、同一のファイル内に含まれることを特徴とする画像処理方法。
【請求項１５】  画像データの特性情報と、前記画像データに関連付けられた画像処理制御情報とを用いて、前記画像データに画像処理を行う画像処理工程と、
前記画像処理手段にて画像処理を行われた前記画像データを印刷する印刷工程とを有し、
前記画像データは画像データ生成装置にて生成され、
前記画像データと前記画像処理制御情報とは、前記画像データ生成装置にて関連付けられる
することを特徴とする印刷方法。
【請求項１６】  画像データの特性情報と、前記画像データに関連付けられた画像処理制御情報とを用いて、前記画像データに画像処理を行う画像処理工程と、
前記画像処理手段にて画像処理を行われた前記画像データを表示する表示工程とを有し、
前記画像データは画像データ生成装置にて生成され、
前記画像データと前記画像処理制御情報とは、前記画像データ生成装置にて関連付けられる
することを特徴とする表示方法。
【請求項１７】  画像データの特性情報と、前記画像データに関連付けられた画像処理制御情報とを用いて、前記画像データに画像処理を行う画像処理機能をコンピュータによって実現し、
前記画像データは画像データ生成装置にて生成され、
前記画像データと前記画像処理制御情報とは、前記画像データ生成装置にて関連付けられる
ことを特徴とする画像処理プログラム。
【請求項１８】  請求項１７に記載の画像処理プログラムであって、
前記特性情報は、前記画像データの画質に関わる特性を示す情報であることを特徴とする画像処理プログラム。
【請求項１９】  請求項１８に記載の画像処理プログラムはさらに、
前記画像データを解析して、前記特性情報を取得する特性情報取得機能をコンピュータによって実現させることを特徴とする画像処理方法。
【請求項２０】  請求項１７から請求項１９のいずれか一項に記載の画像処理プログラムであって、
前記画像処理制御情報は、少なくともコントラスト、明るさ、カラーバランス、彩度、シャープネス、記憶色、およびノイズ除去に関連する情報のいずれか１つを含むことを特徴とする画像処理プログラム。
【請求項２１】  請求項２０に記載の画像処理プログラムであって、
前記画像処理制御情報は、前記画像データが示す画像の撮影時における撮影情報を含むことを特徴とする画像処理プログラム。
【請求項２２】  請求項１７から請求項２１のいずれか一項に記載の画像処理プログラムであって、
前記画像データと前記画像処理制御情報は、同一のファイル内に含まれることを特徴とする画像処理プログラム。
【請求項２３】  画像データの特性情報と、前記画像データに関連付けられた画像処理制御情報とを用いて、前記画像データに画像処理を行う画像処理機能と、
前記画像処理手段にて画像処理を行われた前記画像データを印刷する印刷機能とをコンピュータによって実現させ、
前記画像データは画像データ生成装置にて生成され、
前記画像データと前記画像処理制御情報とは、前記画像データ生成装置にて関連付けられる
することを特徴とする印刷プログラム。
【請求項２４】  画像データの特性情報と、前記画像データに関連付けられた画像処理制御情報とを用いて、前記画像データに画像処理を行う画像処理機能と、
前記画像処理手段にて画像処理を行われた前記画像データを表示する表示機能とをコンピュータによって実現させ、
前記画像データは画像データ生成装置にて生成され、
前記画像データと前記画像処理制御情報とは、前記画像データ生成装置にて関連付けられる
することを特徴とする表示プログラム。